(57)【要約】【課題】見栄えが低下することなく、収納された付属品の取り出しを容易にできる電気掃除機を提供する。【解決手段】電動送風機と、この電動送風機を収容する本体ケース14と備える。この本体ケース14の本体蓋23に、隙間ノズル42を収納可能な凹状の収納部41を設ける。隙間ノズル42は、所定の第１方向とこの第１方向とは異なる所定の第２方向とで異なる寸法を有する作業部44を有する。また、隙間ノズル42は、寸法の大きい側である第１側面部46を開口方向へ向けた状態にて収納部41に嵌合して収納可能である。さらに、本体蓋23に、収納部41に収納した隙間ノズル42を、寸法の小さい側である第２側面部47が収納部41の開口方向に向くように変化させる付属品取出手段51を設ける。【選択図】図１
2010178816.tif 000002
【特許請求の範囲】
【請求項１】
電動送風機と、
この電動送風機を収容する本体ケースと、
この本体ケースに凹状に形成された収納部と、
所定の第１方向とこの第１方向とは異なる所定の第２方向とで異なる寸法を有し、寸法の大きい側を開口方向へ向けた状態にて前記収納部に嵌合して収納される付属品と、
前記収納部に収納された前記付属品を、前記寸法の小さい側が前記収納部の開口方向に向くように変化させる付属品取出手段と、
を具備したことを特徴とした電気掃除機。
【請求項２】
電動送風機と、
この電動送風機を収容する本体ケースと、
この本体ケースに凹状に形成された収納部と、
この収納部に嵌合して収納される付属品と、
前記収納部に収納された前記付属品の少なくとも一部を前記収納部から突出させる付属品取出手段と、
を具備したことを特徴とした電気掃除機。
【請求項３】
本体ケースに設けられ収納部を開閉可能な蓋体を具備し、
付属品取出手段は、前記蓋体の開閉に連動する
ことを特徴とした請求項１または２記載の電気掃除機。
【請求項４】
蓋体は、透明に形成されている
ことを特徴とした請求項３記載の電気掃除機。
【発明の詳細な説明】
【技術分野】
【０００１】
本発明は、付属品を収納するための凹部が本体ケースに設けられた電気掃除機に関する。
【背景技術】
【０００２】
従来、この種の電気掃除機は、電動送風機を収容した本体ケースを備えている。この本体ケースには、電動送風機の吸込側に連通して本体集塵室が形成されている。また、本体ケースには、本体集塵室に連通する本体吸込口が形成されている。この本体吸込口には、管部を構成するホース体、延長管および吸込口体が順次連通接続されている。また、吸込口体としては、床ブラシや隙間ノズル等があり、作業者が選択的に着脱可能である。そして、例えば、隙間ノズル等のような付属品の紛失を防止するため、本体ケースに付属品を取り出し可能に収納する収納部を設けた構成が知られている（例えば、特許文献１参照。）。
【先行技術文献】
【特許文献】
【０００３】
【特許文献１】特開２００４−１３５９５７号公報（第５−６頁、図１，２，６）
【発明の概要】
【発明が解決しようとする課題】
【０００４】
上述の電気掃除機の構成にて、見栄えを向上させるために、収納部を付属品と同様の形状にして、収納状態の付属品の周囲に凹部が形成されないようにすると、指を入れることができず、収納状態の付属品を取り出しにくくなってしまう。しかしながら、付属品を取り出し可能に収納するために収納部を付属品より一回り大きな凹形状に形成し、付属品を収納した状態では、付属品の周囲に指を入れるための凹部が形成され、見栄えが低下してしまう問題点が考えられる。
【０００５】
本発明はこのような点に鑑みなされたもので、見栄えが低下することなく、収納された付属品を容易に取り出すことができる電気掃除機を提供することを目的とする。
【課題を解決するための手段】
【０００６】
本発明は、本体ケースに凹状に形成された収納部と、所定の第１方向とこの第１方向とは異なる所定の第２方向とで異なる寸法を有し、寸法の大きい側を開口方向へ向けた状態にて前記収納部に嵌合して収納される付属品と、収納部に収納された前記付属品を、寸法の小さい側が前記収納部の開口方向に向くように変化させる付属品取出手段とを具備したものである。
【０００７】
また、本体ケースに凹状に形成された収納部と、この収納部に嵌合して収納される付属品と、収納部に収納された付属品の少なくとも一部を収納部から突出させる付属品取出手段とを具備したものである。
【発明の効果】
【０００８】
本発明によれば、収納部に収納された付属品を付属品取出手段にて収納部から取り出し易い状態にでき、収納状態の付属品の周囲に凹部を形成する等の必要がないので、見栄えが低下することなく、収納された付属品を容易に取り出すことができる。
【図面の簡単な説明】
【０００９】
【図１】本発明の第１の実施の形態の電気掃除機における掃除機本体の構成を示す斜視図である。
【図２】同上電気掃除機の構成を示す斜視図である。
【図３】（ａ）は同上掃除機本体において隙間ノズルの収納状態を示す部分断面図であり、（ｂ）は同上掃除機本体において隙間ノズルの取出可能状態を示す部分断面図である。
【図４】本発明の第２の実施の形態の電気掃除機における掃除機本体の構成を示す斜視図である。
【図５】（ａ）は同上掃除機本体において隙間ノズルの収納状態を示す部分断面図であり、（ｂ）は同上掃除機本体において隙間ノズルの取出可能状態を示す部分断面図である。
【図６】本発明の第３の実施の形態の電気掃除機における掃除機本体の構成を示す斜視図である。
【図７】同上掃除機本体において隙間ノズルの収納状態を示す部分断面図である。
【図８】本発明の第４の実施の形態の電気掃除機における掃除機本体の構成を示す斜視図である。
【図９】（ａ）は同上掃除機本体において隙間ノズルの収納状態を示す部分断面図であり、（ｂ）は同上掃除機本体において隙間ノズルの突出状態を示す部分断面図である。
【発明を実施するための形態】
【００１０】
以下、本発明の第１の実施の形態の構成について図１ないし図３を参照しながら詳細に説明する。
【００１１】
図２において、11はいわゆるキャニスタ型の電気掃除機を示し、この電気掃除機11は、掃除機本体12と、この掃除機本体12に着脱可能に接続される管部13とを有している。
【００１２】
掃除機本体12は、本体ケース14を備え、この本体ケース14の内部には、図示しない隔壁が設けられている。この隔壁の後側には、電動送風機15を収容する図示しない電動送風機室、および、電源コード16を出し入れ可能に巻回した図示しないコードリールを収容する図示しないコードリール室がそれぞれ区画されている。また、本体ケース14内部の隔壁の前側には、電動送風機15の吸込側に連通する本体集塵室17が区画され、この本体集塵室17に、集塵装置としての集塵カップ、あるいは集塵袋等の集塵部が着脱可能に配置されている。
【００１３】
本体ケース14は、例えば、合成樹脂等により形成され、上側が開口した下ケース21と、この下ケース21の上側後部である電動送風機室およびコードリール室の上部を覆う上ケース22と、これら下ケース21と上ケース22との後部に位置して電動送風機室およびコードリール室の後部を覆う図示しない後部パネルと、下ケース21あるいは上ケース22に対して上下方向に回動可能に軸支され本体集塵室17を開閉可能にする本体蓋23とを備えている。そして、下ケース21の両側方には、掃除機本体12の走行用の大径の走行輪24（一方のみ図示）が回転自在に軸支されている。また、下ケース21には、本体集塵室17へ連通し、管部13の基端側が接続可能な本体吸込口25が前側に設けられている。
【００１４】
後部パネルには、電動送風機15の下流側（電動送風機室）に連通する複数の排気孔（図示せず）が開口形成されているとともに、電源コード16を本体ケース14の外部に導出するための図示しないコード導出口が開口形成されている。
【００１５】
管部13は、本体吸込口25に接続された接続管部26を備え、操作部としての手元操作部27を先端に備えた可撓性を有するホース体28と、このホース体28の先端である手元操作部27の先端側に着脱可能に接続される延長管29と、この延長管29の先端側に着脱可能に接続される掃除体としての一の掃除体（主掃除体）である吸込口体すなわち床ブラシ30とを備えている。
【００１６】
手元操作部27には、把持部31がホース体28側へと突出して形成され、この把持部31には、電動送風機15の起動、停止および各種動作モードに切り換えを行うための複数の操作ボタン32が設けられている。
【００１７】
図１に示すように、本体蓋23の上側には、上方へ開口する凹状に形成された収納部41が設けられている。この収納部41は、付属品としての例えばつる口といわれる隙間ノズル42を収納可能である。
【００１８】
隙間ノズル42は、延長管29および床ブラシ30に代えて他の掃除体（補助掃除体）として管部13の先端に着脱可能である。すなわち、管部13の先端である手元操作部27の先端側あるいは延長管29の先端側には、床ブラシ30や隙間ノズル42等の異なる掃除体を選択的に接続可能となっている。
【００１９】
また、隙間ノズル42は、手元操作部27の先端側、あるいは延長管29の先端側に接続可能な略円筒状の基端部43と、この基端部43に一体に設けられ、基端部43より細く形成され、掃除の際に隙間に挿入される作業部44とを備えている。また、作業部44の先端にはノズル吸込口45が設けられている。
【００２０】
作業部44は、所定の第１方向に沿った第１側面部46と、第１方向とは異なる所定の第２方向に沿った第２側面部47とを有し、第１側面部46の第１方向と第２側面部47の第２方向とは異なる寸法となっている。また、第１側面部46は先端であるノズル吸込口45へ向かって細く形成されており、この第１側面部46の第１方向の最大の寸法ａは、基端部43の直径と殆ど同じであり、第２側面部47の第２方向の寸法ｂより大きく、作業部44は、例えば、一部を切り欠いた偏平形状や楕円形状等に形成されている。
【００２１】
さらに、隙間ノズル42には先端ブラシ48が設けられ、この先端ブラシ48は、常時、作業部44に嵌合されており、使用時には、作業部44に沿って摺動させてノズル吸込口45に固定可能である。
【００２２】
収納部41は、第１側面部46を上方へ向けた状態の隙間ノズル42の外形と同様の形状に形成され、隙間ノズル42は、第１側面部46を収納部41の開口方向である上方へ向けた状態にて収納部41に嵌合可能であり、このように嵌合された収納状態にて収納される。このような収納状態では、隙間ノズル42と収納部41の縁部との間に隙間が殆どなく、隙間ノズル42の周囲には凹部が殆ど形成されない。
【００２３】
本体蓋23には、収納状態の隙間ノズル42を寸法の小さい側である第２側面部47が上方を向いた取出可能状態に変化させる付属品取出手段51と、本体蓋23に対して上下方向に回動可能に軸支され、収納部41を開閉可能な蓋体52とが設けられている。
【００２４】
蓋体52は、例えば、合成樹脂等にて可視光を透過する透光性を有する透明または半透明に形成されており、収納部41やこの収納部41に収納された隙間ノズル42を透視可能である。
【００２５】
図３（ａ）に示すように、付属品取出手段51は、折曲形成された板状の可動部材53と略円柱形状のボタン部材54とが設けられている。可動部材53は、軸55を中心に回動可能に軸支され、一端が収納状態の隙間ノズル42の第１側面部46の下側に接触可能であり、他端がボタン部材54に接触可能である。ボタン部材54は、本体蓋23における収納部41近傍から突出して摺動可能に挿通されている。
【００２６】
そして、図３（ｂ）に示すように、付属品取出手段51は、ボタン部材54を押し込むことにより、可動部材53の他端が下降して一端が上昇するように回動し、この回動にともなって可動部材53の一端が接触する隙間ノズル42も回動して、隙間ノズル42は第２側面部47が上方を向き、隙間ノズル42の作業部44の両側に指を入れることが可能な隙間が形成された取出可能状態となる。
【００２７】
次に、上記第１の実施の形態の作用を説明する。
【００２８】
まず、収納部41に収納された付属品としての隙間ノズル42を、吸込口体として管部13の先端に取り付ける場合には、蓋体52を本体蓋23に対して上方へ回動して開ける。
【００２９】
蓋体52を開けると、収納状態の隙間ノズル42は、図３（ａ）に示されるように、第１側面部46が上方を向いた収納状態にて収納されている。
【００３０】
このように隙間ノズル42が収納された状態にて、本体蓋23の上部から突出した付属品取出手段51のボタン部材54を押し込む。
【００３１】
ボタン部材54を押し込むと、ボタン部材54に他端が接触する可動部材53は、一端が上昇して隙間ノズル42の第１側面部46に接触しながら回動し、可動部材53の回動とともに隙間ノズル42が回動する。このように回動した隙間ノズル42は、図３（ｂ）に示すように、第２側面部47が収納部41の開口方向である上方を向いた取出可能状態となる。
【００３２】
ここで、隙間ノズル42は、第１側面部46の第１方向の寸法ａより第２側面部47の第２方向の寸法ｂの方が小さいので、収納状態から取出可能状態へ変化した隙間ノズル42の作業部44の両側には、作業者の指が入れること可能な隙間56が形成される。
【００３３】
そして、作業者は、この隙間56に指を入れて隙間ノズル42の作業部44の両側、すなわち、第１側面部46を摘むことが可能であり、隙間ノズル42を収納部41から容易に取り出すことができる。なお、隙間ノズル42は、基端部43およびノズル吸込口45が汚れている可能性が高いので、隙間ノズル42の基端部43およびノズル吸込口45以外、すなわち、作業部44の中間部分等を摘むと衛生上好ましい。
【００３４】
また、管部13の先端から取り外した隙間ノズル42を収納する場合には、第１側面部46が上方を向いた状態で隙間ノズル42を収納部41に嵌合して収納し、蓋体52を閉めるだけである。
【００３５】
上述したように、上記第１の実施の形態によれば、第１側面部46が上方を向いた状態の隙間ノズル42の外形と同様の形状であり、隙間ノズル42を収納可能な収納部41が本体蓋23に設けられていることにより、収納状態の隙間ノズル42と収納部41の縁部との間に殆ど隙間がなく、隙間ノズル42の周囲に凹部が殆ど形成されないので見栄えが低下しない。また、付属品取出手段51のボタン部材54を押し込むだけで、隙間ノズル42を収納状態から取出可能状態へ変化できるので隙間ノズル42を容易に取り出すことができる。さらに、隙間ノズル42を収納する場合は、第１側面部46を上方へ向けた状態の隙間ノズル42を収納部41に嵌合するだけであるので容易に収納できる。したがって、隙間ノズル42を容易に取り出すことができ、また、隙間ノズル42を容易に収納できるので、使い勝手が良好である。
【００３６】
本体蓋23に収納部41を開閉可能な蓋体52が設けられることより、収納部41およびこの収納部41に収納された隙間ノズル42が露出したままにならず、より見栄えを向上できる。
【００３７】
また、蓋体52にて収納部41を閉塞できるので、掃除等の際に、収納部41およびこの収納部41に収納された隙間ノズル42に埃等が入り込むことを防止でき、収納部41および隙間ノズル42の汚損を防止できる。
【００３８】
ここで、隙間ノズル42が収納状態にて見栄えが低下しないので、蓋体52を透明または半透明に形成して内部を透視可能にしても見栄えが低下しない。したがって、透明または半透明に形成された蓋体52を設けることにより、デザインの幅を広げることができ、デザイン性を向上できる。
【００３９】
次に、第２の実施の形態を図４および図５を参照して説明する。なお、上記第１の実施の形態と同一の構成および作用については、同一符号を付してその説明を省略する。
【００４０】
図４および図５に示すように、付属品取出手段61は、隙間ノズル42の基端部43に接触する付属品受け部62と、この付属品受け部62を付勢するばね部材63とを有する。
【００４１】
付属品受け部62は、収納部41に沿った円弧状の板部材であり、隙間ノズル42に接触しながら隙間ノズル42を回動させるように、収納部41内にて収納部41の底部に沿って移動可能である。
【００４２】
ばね部材63は、付属品受け部62と収納部41の一部である支持部64との間に設けられており、隙間ノズル42が収納状態から取出可能状態へなるように回動させる方向に付属品受け部62を付勢する。
【００４３】
蓋体52には、内側面から収納部41側へ突出し、収納状態の隙間ノズル42の第１側面部46に接触可能な突起部65が設けられている。
【００４４】
このような蓋体52は、蓋体52を閉めた状態では、図５（ａ）に示すように、収納状態の隙間ノズル42の第１側面部46に突起部65が接触して収納状態を保持する。
【００４５】
そして、収納部41に収納された隙間ノズル42を取り出す際に蓋体52を開けると、図５（ｂ）に示すように、突起部65が隙間ノズル42の第１側面部46から離間して、突起部65による隙間ノズル42の収納状態の保持が解除される。収納状態の保持の解除にともなって、付属品取出手段61の付属品受け部62がばね部材63に付勢されて収納部41内を収納部41の底部に沿って移動する。この付属品受け部62の移動により、付属品受け部62に基端部43が接触している隙間ノズル42が付属品受け部62と一体的に回動し、隙間ノズル42が取出可能状態となる。
【００４６】
また、管部13の先端から取り外した隙間ノズル42を収納する場合には、隙間ノズル42を付属品受け部62にて保持して収納部41に配設し、蓋体52を下方へ回動して閉める。
【００４７】
蓋体52を閉めると、突起部65が隙間ノズル42の第１側面部46に接触し、突起部65に隙間ノズル42が押圧されて、付属品受け部62がばね部材63の付勢に抗して隙間ノズル42と一体的に回動し、隙間ノズル42は、第１側面部46が上方を向いた収納状態となる。
【００４８】
そして、このように付属品取出手段61が蓋体52の開閉に連動することにより、蓋体52を開閉するだけで、隙間ノズル42の収納状態と取出可能状態とを切り換えることができるので、隙間ノズル42を容易に取り出すことができ使い勝手が良好である。
【００４９】
また、付属品取出手段61は、付属品受け部62をばね部材63により付勢する簡単な構成であるので、部品点数を必要以上に増加させることなく容易に製造できる。なお、付属品取出手段61は、蓋体52の開閉に連動する構成であれば、付属品受け部62がばね部材63に付勢されて蓋体52の開閉に連動する構成に限定されず、例えば、蓋体52と付属品受け部62とをリンク機構等にて接続して連動する構成にしてもよい。
【００５０】
なお、上記第１の実施の形態および第２に実施の形態では、付属品として隙間ノズル42を挙げて説明したが、付属品は、隙間ノズル42に限定されず、第１方向とこの第１方向とは異なる第２方向とで異なる寸法を有するものであればよい。
【００５１】
次に、第３の実施の形態を図６および図７を参照して説明する。なお、上記各実施の形態と同一の構成および作用については、同一符号を付してその説明を省略する。
【００５２】
図６および図７に示すように、付属品取出手段67は、隙間ノズル42の前側に位置しており、折曲形成された板状の可動部材68と略円柱形状のボタン部材69とを有している。可動部材68は、軸70を中心に回動可能に軸支され、一端が収納状態の隙間ノズル42のノズル吸込口45の下側に接触可能であり、他端がボタン部材69に接触可能である。ボタン部材69は、本体蓋23における収納部41の前方から突出して摺動可能に挿通されている。
【００５３】
収納部41に収納された隙間ノズル42を取り出す際には、図７に二点鎖線で示すように、付属品取出手段67のボタン部材69を押し込んで、可動部材68を一端が上昇して他端が下降するように回動させる。この可動部材68の回動により、収納状態の隙間ノズル42のノズル吸込口45側が押し上げられ、隙間ノズル42は、作業部44の一部が収納部41および本体蓋23の外面から上側へ突出した突出状態となる。
【００５４】
このような突出状態の隙間ノズル42における突出した部分を摘むようにして取り出し、管部13の先端に接続する。
【００５５】
そして、このような付属品取出手段67が設けられたことにより、付属品取出手段67のボタン部材69を押し込むだけで、収納状態の隙間ノズル42を突出状態に切り換えることができるので、一部が突出した隙間ノズル42を容易に取り出すことができる。
【００５６】
次に、第４の実施の形態を図８および図９を参照して説明する。なお、上記各実施の形態と同一の構成および作用については、同一符号を付してその説明を省略する。
【００５７】
図８および図９に示すように、付属品取出手段72は、板状の付属品受け部73とばね部材74とを有している。付属品受け部73は、一端に位置する軸75を中心に回動可能に軸支され、隙間ノズル42の第１側面部46の下側に接触している。ばね部材74は、付属品受け部73の他端と収納部41の底部との間に位置し、付属品受け部73の他端を収納部41の底部から離間する方向である上方へ付勢している。
【００５８】
蓋体52には、蓋体52の内側面から収納部41側へ突出し、収納状態の隙間ノズル42の第１側面部46の上側と接触可能な突起部76が設けられている。
【００５９】
また、蓋体52を閉めた状態では、図９（ａ）に示すように、蓋体52の突起部76が収納状態の隙間ノズル42の第１側面部46に接触し、収納状態が保持される。
【００６０】
そして、収納部41に収納された隙間ノズル42を取り出す際に蓋体52を開けると、図９（ｂ）に示すように、突起部76が隙間ノズル42の第１側面部46から離間し、突起部76による隙間ノズル42の収納状態の保持が解除される。この解除にともなって、ばね部材74にて付勢されている付属品受け部73は他端が上方へ回動する。
【００６１】
この付属品受け部73の回動により、隙間ノズル42は、作業部44側が押し上げられ、作業部44の一部が収納部41および本体蓋23の外面から上側へ突出した突出状態となる。
【００６２】
隙間ノズル42を収納する場合には、第１側面部46が収納部41の開口方向を向くように、隙間ノズル42を付属品受け部73上に保持して収納部41に収納し、蓋体52を回動して閉める。
【００６３】
蓋体52を閉めると、突起部76が隙間ノズル42の第１側面部46に接触し、隙間ノズル42は、突起部76に隙間ノズル42が押圧されて、付属品受け部73とともにばね部材74の付勢に抗して作業部44側が収納部41の底部へ接近する方向へ回動して収納状態となり、蓋体52を完全に閉めると、突起部76にて隙間ノズル42の収納状態が保持される。
【００６４】
そして、このように付属品取出手段72が蓋体52の開閉に連動することにより、蓋体52を開閉するだけで、隙間ノズル42の収納状態と突出状態とを切り換えることができるので、収納部41に収納された隙間ノズル42を容易に取り出すことができ、また、収納することができるので、使い勝手が良好である。
【００６５】
また、付属品取出手段72は、付属品受け部73をばね部材74により付勢して蓋体52の開閉に連動する簡単な構成であるので、部品点数を必要以上に増加させることなく容易に製造できる。なお、付属品取出手段72は、蓋体52の開閉に連動する構成であれば、付属品受け部73がばね部材74に付勢されて蓋体52の開閉に連動する構成に限定されず、例えば、蓋体52と付属品受け部73とをリンク機構等にて接続して連動する構成にしてもよい。
【００６６】
上記各実施の形態では、本体蓋23に収納部41を開閉可能な蓋体52を設ける構成としたが、このような構成には限定されず、蓋体52を設けない構成にしてもよい。
【００６７】
また、蓋体52を設ける場合は、蓋体52が透明または半透明に形成された構成には限定されず、蓋体52の一部に透明部分を形成する構成や、蓋体52全体が不透明な構成としてもよい。
【００６８】
隙間ノズル42は、先端ブラシ48が設けられた構成に限定されず、先端ブラシ48が設けられていないものでもよい。
【００６９】
上記第３の実施の形態および第４の実施の形態では、収納部41に収納する付属品は隙間ノズル42に限定されず、収納部41は、想定される付属品に合わせて適宜設計可能である。
【００７０】
また、付属品取出手段51は、隙間ノズル42の作業部44の一部のみを収納部41および本体蓋23の外面から上側へ突出させる構成としたが、このような構成には限定されず、付属品取出手段51は、隙間ノズル42全体を収納部41および本体蓋23の外面から上側に突出させる構成にしてもよい。
【符号の説明】
【００７１】
11    電気掃除機
14    本体ケース
15    電動送風機
41    収納部
42    付属品としての隙間ノズル
51    付属品取出手段
52    蓋体
61    付属品取出手段
67    付属品取出手段
72    付属品取出手段
【図１】
2010178816.tif 000003
【図２】
2010178816.tif 000004
【図３】
2010178816.tif 000005
【図４】
2010178816.tif 000006
【図５】
2010178816.tif 000007
【図６】
2010178816.tif 000008
【図７】
2010178816.tif 000009
【図８】
2010178816.tif 000010
【図９】
2010178816.tif 000011